(57)【要約】  【課題】材料コスト及び製造コストを抑制しつつ、回転負荷を使用者の要求に合わせて容易に調節することができる楽器用のペダル装置を提供すること。【解決手段】下蓋４の小穴４ａからドライバー等を支持台６の内部に挿入し、螺子１４を締めたり緩めたりすることにより容易に被押圧面１１ａと押圧部材１２との間に生じる摩擦力を調節することができる。よって、踏み台５と支持台６との回転に回転負荷を付与することができると共に、その回転負荷を使用者の要求に合わせて調節することができる。また、本実施形態における楽器用のペダル装置１は非常に単純な構造であり、部品点数が少ないので、その分材料コストを抑制することができる。更に、部品点数が少ない分構造も単純であるので、その分製造コストを抑制することができる。  【選択図】    図２
2007094249.tif 000002
【特許請求の範囲】
【請求項１】
支持台と、その支持台に揺動自在に係合された踏み台とを備え、前記支持台に対する前記踏み台の角度に応じて楽音信号の制御を行う楽器用のペダル装置において、
前記踏み台は、前記支持台に対して回転する回転中心軸を中心として回転するとともに、その回転中心軸に平行な被押圧面が形成される回動部を有し、
前記回動部の被押圧面を圧接する押圧部材と、
前記回動部の被押圧面を前記押圧部材を介して押圧する板ばねと、
前記板ばねが前記回動部を前記押圧部材を介して押圧する押圧力を調整する押圧力調整手段とを備えていることを特徴とする楽器用のペダル装置。
【請求項２】
前記回動部は、金属材料で形成されていると共に、
前記押圧部材は、樹脂材料で形成されていることを特徴とする請求項１記載の楽器用のペダル装置。
【請求項３】
前記押圧力調整手段は、前記板ばねと前記支持台とを螺子で螺嵌する螺嵌手段であることを特徴とする請求項１または２記載の楽器用のペダル装置。
【請求項４】
前記押圧部材は、前記回動部の被押圧面の一部と接する凹部を備えていることを特徴とする請求項１から３のいずれかに記載の楽器用のペダル装置。
【請求項５】
前記回動部の被押圧面の回転中心軸に垂直な面での断面形状は、円形であることを特徴とする請求項１から４のいずれかに記載の楽器用のペダル装置。
【請求項６】
前記回動部の被押圧面の回転中心軸に垂直な面での断面形状は、楕円形であることを特徴とする請求項１から４のいずれかに記載の楽器用のペダル装置。
【請求項７】
前記回動部の被押圧面には回転中心軸に平行かつ平坦な平坦面が形成され、
前記押圧部材には平らな平面が形成され、
前記回動部の平坦面は、前記押圧部材の平面により圧接されることを特徴とする請求項１から４のいずれかに記載の楽器用のペダル装置。
【請求項８】
前記回動部の被押圧面は、めっき加工されたものであることを特徴とする請求項１から７のいずれかに記載の楽器用のペダル装置。
【発明の詳細な説明】
【技術分野】
【０００１】
本発明は、楽器用のペダル装置に関し、材料コスト及び製造コストを共に抑制しつつ、回転負荷を使用者の要求に合わせて調節することができる楽器用のペダル装置に関するものである。
【背景技術】
【０００２】
従来より、支持台上に揺動自在に係合された踏み台を足によって踏み込み、その支持台に対する踏み台の角度に応じてボリュームの抵抗値を変化させたり、シャッタを開閉させて光源から受光素子に達する光量を変化させたりして楽音出力の制御を行うことができる楽器用のペダル装置が知られている。
【０００３】
例えば、実用新案登録第２５８３２３３号公報（特許文献１）には、支持台に対する踏板の角度によって楽音出力の制御を行う電子楽器のペダル装置が開示されている。この特許文献１に記載される電子楽器のペダル装置によれば、支持台に配設された挟持部材により踏板に突設された被挟持部材を挟持する。
【特許文献１】実用新案登録第２５８３２３３号公報
【発明の開示】
【発明が解決しようとする課題】
【０００４】
しかしながら、特許文献１に記載される電子楽器のペダル装置では、被挟持部材を、その両側に摩擦板を介して板バネにより形成される挟持部材で挟持し、被挟持部材との摩擦力をボルトとナットとの間に設置されたコイルばねの長さを調整することにより変化させている。
【０００５】
この構成では、部品点数が多く、材料コストが高くなるとともに構造も複雑になってしまうので、製造コストも高くなってしまうという問題点があった。
【０００６】
本発明は、上記問題点を解決するためになされたものであり、材料コスト及び製造コストを抑制しつつ、回転負荷を使用者の要求に合わせて容易に調節することができる楽器用のペダル装置を提供することを目的としている。
【課題を解決するための手段】
【０００７】
この目的を達成するために、本発明の請求項１記載の楽器用のペダル装置は、支持台と、その支持台に揺動自在に係合された踏み台とを備え、前記支持台に対する前記踏み台の角度に応じて楽音信号の制御を行うものであって、前記踏み台は、前記支持台に対して回転する回転中心軸を中心として回転するとともに、その回転中心軸に平行な被押圧面が形成される回動部を有し、前記回動部の被押圧面を圧接する押圧部材と、前記回動部の被押圧面を前記押圧部材を介して押圧する板ばねと、前記板ばねが前記回動部を前記押圧部材を介して押圧する押圧力を調整する押圧力調整手段とを備えている。
【０００８】
請求項２記載の楽器用のペダル装置は、請求項１記載の楽器用のペダル装置において、前記回動部は、金属材料で形成されていると共に、前記押圧部材は、樹脂材料で形成されている。
【０００９】
請求項３記載の楽器用のペダル装置は、請求項１または２記載の楽器用のペダル装置において、前記押圧力調整手段は、前記板ばねと前記支持台とを螺子で螺嵌する螺嵌手段である。
【００１０】
請求項４記載の楽器用のペダル装置は、請求項１から３のいずれかに記載の楽器用のペダル装置において、前記押圧部材は、前記回動部の被押圧面の一部と接する凹部を備えている。
【００１１】
請求項５記載の楽器用のペダル装置は、請求項１から４のいずれかに記載の楽器用のペダル装置において、前記回動部の被押圧面の回転中心軸に垂直な面での断面形状は、円形である。
【００１２】
請求項６記載の楽器用のペダル装置は、請求項１から４のいずれかに記載の楽器用のペダル装置において、前記回動部の被押圧面の回転中心軸に垂直な面での断面形状は、楕円形である。
【００１３】
請求項７記載の楽器用のペダル装置は、請求項１から４のいずれかに記載の楽器用のペダル装置において、前記回動部の被押圧面には回転中心軸に平行かつ平坦な平坦面が形成され、前記押圧部材には平らな平面が形成され、前記回動部の平坦面は、前記押圧部材の平面により圧接される。
【００１４】
請求項８記載の楽器用のペダル装置は、請求項１から７のいずれかに記載の楽器用のペダル装置において、前記回動部の被押圧面は、めっき加工されたものである。
【発明の効果】
【００１５】
請求項１記載の楽器用のペダル装置によれば、支持台と踏み台とを回転中心軸を中心として回転可能に係合する回動部に形成される回転中心軸に平行な被押圧面が、押圧部材を介して板ばねによって押圧され、その押圧力は、押圧力調整手段によって調節されるので、押圧部材と被押圧面との間に生じる摩擦力を調節することができる。よって、支持台と踏み台との回転に回転負荷を付与することができると共に、その回転負荷を使用者の要求に合わせて調節することができるという効果がある。
【００１６】
また、本発明の楽器用のペダル装置は部品点数が少ないので、材料コストを抑制することができるとともに、構造も単純であるので、製造コストも抑制することができるという効果がある。すなわち、本発明の楽器用のペダル装置は、材料コスト及び製造コストを共に抑制しつつ、回転負荷を使用者の要求に合わせて調節することができるのである。
【００１７】
請求項２記載の楽器用のペダル装置によれば、請求項１記載の楽器用のペダル装置の奏する効果に加え、回動部は金属材料で形成されているとともに、押圧部材は樹脂材料で形成されている。よって、押圧部材に押圧力をかけた場合であっても、円滑に回動部を回動させることができるとともに、回動部と押圧部材とが摩擦により異音を発生することを防止することができるという効果がある。
【００１８】
ここで、回動部及び押圧部材が共に金属材料で形成されている場合には、回動部を回転させる際には異音が発生してしまう。そこで、押圧部材を樹脂部材にすることにより、回動が円滑に行われ、異音を発生させることなく回動部を回転させることができるのである。
【００１９】
請求項３記載の楽器用のペダル装置によれば、請求項１または２記載の楽器用のペダル装置の奏する効果に加え、螺嵌手段により、板ばねと支持台とは、螺子によって螺嵌される。よって、螺子を回すことにより、押圧部材と被押圧面との間に生じる摩擦力を調節することができるので、使用者の要求に合わせた回転負荷を与え、踏み台の操作性を良好に保つことができるという効果がある。
【００２０】
また、螺子は、汎用の部材であるので、非常に安価であるとともに、容易に加工し、形成することができる。従って、材料コストおよび製造コストを抑制することができるという効果がある。
【００２１】
請求項４記載の楽器用のペダル装置によれば、請求項１から３のいずれかに記載の楽器用のペダル装置の奏する効果に加え、回動部の被押圧面の一部と接する凹部は、板ばねによって回動部に押圧されて固定されている。従って、押圧部材を板ばねに固着せずに、板ばねの押圧力のみによって、押圧部材を回動部と板ばねとの間に保持することができる。よって、板ばねの押圧力を弱めることによって、押圧部材を回動部から取り外すことができる。したがって、摩擦係数が異なる様々な材料で形成された押圧部材に交換することができるという効果がある。
【００２２】
請求項５記載の楽器用のペダル装置によれば、請求項１から４のいずれかに記載の楽器用のペダル装置の奏する効果に加え、回動部の被押圧面の回転中心軸に垂直な面での断面形状は円形であるので、支持台に対する踏み台の角度を変化させても、支持台に対する踏み台の角度の変化前と比較して、回転中心軸と押圧部材との距離は変化しない。すなわち、元の状態に戻ろうとする復元力が作用しないので、支持台に対する踏み台の角度を保持できるいう効果がある。
【００２３】
請求項６記載の楽器用のペダル装置によれば、請求項１から４のいずれかに記載の楽器用のペダル装置の奏する効果に加え、回動部の被押圧面の回転中心軸に垂直な面での断面形状は楕円形であるので、支持台に対する踏み台の角度を変化させると、支持台に対する踏み台の角度の変化前と比較して、回転中心軸と押圧部材との距離が変化する。よって、元の状態に戻す場合には軽い力で操作することができ、使用者の負担を軽減させることができるという効果がある。
【００２４】
請求項７記載の楽器用のペダル装置によれば、請求項１から４のいずれかに記載の楽器用のペダル装置の奏する効果に加え、回動部の被押圧面に備えられた回転中心軸に平行かつ平坦な平坦面は、押圧部材に形成される平らな平面に圧接されるので、支持台に対する踏み台の角度を変化させると、支持台に対する踏み台の角度の変化前と比較して、回転中心軸と押圧部材との距離が大きくなる。よって、回転中心軸と押圧部材との距離を縮める復元力が作用するので、支持台に対する踏み台の角度を変化させても、自動的に変化前の支持台に対する踏み台の角度に戻すことができるという効果がある。
【００２５】
請求項８記載の楽器用のペダル装置によれば、請求項１から７のいずれかに記載の楽器用のペダル装置の奏する効果に加え、回動部の被押圧面は、めっき加工されたものである。よって、回動部の被押圧面が滑らかになり、滑りが良くなるので、踏み台を円滑に操作することができるとともに、踏み台の操作感が良好であるという効果がある。
【発明を実施するための最良の形態】
【００２６】
以下、本発明の好ましい実施の形態について、添付図面を参照して説明する。図１（ａ）は、本発明の一実施の形態における楽器用のペダル装置１の下面図であり、図１（ｂ）は、楽器用のペダル装置１の斜視図である。また、図２は、図１（ａ）のＩＩ−ＩＩ線における楽器用のペダル装置１の断面図である。なお、これらの図面では、内部構造の視認を容易にするために、下蓋４を省略して示している。また、図１（ｂ）では、踏み台５及び支持台６の一部を省略して示している。
【００２７】
図１及び図２に示すように、本実施の形態の楽器用のペダル装置１は、台形状の方体であって内部が空洞である支持台６と、その支持台６の上方に付設される踏み台５と、支持台６の下面を覆う下蓋４とを主に備えている。
【００２８】
支持台６は、前方の側面６Ｃと、三方の側面６Ａと上面６Ｂとを備え、内部が空洞である台形状の方体であり、アルミダイカストにより形成されている。この支持台６の上面６Ｂには、矩形状の穴である第１穴部６ｄと第２穴部６ｇとが形成されている。また、四方の側面の下部には、下蓋４を取り付けるための螺子穴６ｆが形成されている。
【００２９】
支持台６の内部であって第１穴部６ｄの下方には、可変抵抗器７が備えられている。この可変抵抗器７は、回転式のものであって、その軸部７ａは、後述する踏み台５の回動軸１１に平行になるように支持台６に取り付けられている。
【００３０】
この軸部７ａの端部には、その先端に軸を挟むことができるＵ字状の鋏部７ｂが備えられている。
【００３１】
図２に示すように、第１穴部６ｄを通って踏み台５からプレート８が垂下され、プレート８の先端に設けられた軸８ａが、この鋏部７ｂに挟まれる。踏み台５の回転に応じてプレート８が揺動し、可変抵抗器７の軸部７ａが回転され、可変抵抗器７の抵抗値が変化する。
【００３２】
支持台６の前方側面６Ｃには、複数の円形の穴であるジャック孔６ｅが形成されている。このジャック孔６ｅに入力用及び出力用のジャック（非表示）が装着され、入力用ジャックは、可変抵抗器７の入力端子に接続され、可変抵抗器７の出力端子は、出力用のジャックに接続されている。したがって、電気ギターなどの出力のプラグが、入力用ジャックに装着され、出力用のジャックには、アンプに接続されたプラグが装着されると、アンプから出力される音量を調整することができる。
【００３３】
踏み台５は、矩形状の板であって、支持台６の上面６Ｂに備えられ、支持台６と同様にアルミダイカストにより形成されている。踏み台５の上面には、使用者が足で踏み込む際に滑ることがないように、所定の厚さを有するラバー（非表示）が付着されている。
【００３４】
踏み台５の支持台６側であって長手方向の端部には、それぞれ踏み台５の回転範囲を規制する半円形の規制部５ａ，５ｂが備えられている。踏み台５には、回動軸１１が固着され、回動軸１１は、支持台６に備えられた軸受けであるブッシュ３０（図３（ａ）参照）に回動自在に軸支される。なお、本実施形態のブッシュ３０は、ＰＥ（ポリエチレン）によって形成されている。
【００３５】
次に、この回動軸１１に対して摩擦力を付与する押圧部について説明する。この押圧部は、回動軸１１を押圧する押圧部材１２と、板ばね１３と、螺子１４とを備えている。
【００３６】
押圧部材１２は、略直方体で樹脂材料、例えばＰＰ（ポリプロピレン）により形成されている。押圧部材１２の回動軸１１に当接する面は、回動軸１１の被押圧面１１ａに沿って略半円の凹部１２ａが形成されている。また、その凹部１２ａの反対側の板ばね１３に当接する部分は、板ばね１３を跨ぐ形状（図３（ａ）参照）に形成されており、この当接部分は、板ばね１３には固着されていない。押圧部材１２の凹部１２ａを回動軸１１に嵌合し、平面部を板ばね１３で回動軸１１方向に押圧することにより、押圧部材１２が回動軸１１に対して摩擦力を付与するとともに、押圧部材１２が板ばねに固着されていなくても、回動軸１１と板ばね１３との間に保持される。
【００３７】
板ばね１３は、鉄鋼により形成された強力な弾性力を有する板状のばねであって、長手方向の一方の端部１３ａには、螺子１４が挿入される係止孔１３ｃが形成されている。板ばね１３は、係止孔１３ｃに螺子１４が挿入され、螺子１４の頭部により支持台６の雌螺子部６ｂに螺嵌され、他方の端部１３ｂは、支持台６に形成される矩形状の第２穴部６ｇの上面６Ｂの縁である縁部６ｃに対応する湾曲した形状になっており、縁部６ｃに係止されている。よって、板ばね１３は、第２穴部６ｇの縁部６ｃを支点として、螺子１４により螺嵌される端部１３ａを力点とし、押圧部材１２を作用点として回動軸１１の被押圧面１１ａを押圧している。
【００３８】
螺子１４は、支持台６の上面６Ｂの下面に下方に延設された雌ねじ６ｂに螺嵌されているので、螺子１４を締めることにより、頭部が板ばね１３の一端１３ａを押圧するように構成されている。
【００３９】
図３（ａ）は、図１（ａ）のＩＩＩａ−ＩＩＩａ線における楽器用のペダル装置１の断面図であり、回動軸１１付近の詳細を示すものである。
【００４０】
図３（ａ）に示すように、支持台６の上面６Ｂには、第２穴部６ｇの両側にブッシュ３０が圧入される圧入部６ａが上方へ突出して形成されており、圧入されたブッシュ３０は回動軸１１を回転可能に支持する。
【００４１】
踏み台５のブッシュ３０の外側（両側）は、回動軸１１を保持する貫通孔５ｄが下方へ突出して形成され、その貫通孔５ｄの支持台６側には、ビス３１が挿入される係止穴５ｃが備えられている。また、回動軸１１には係止穴５ｃに対応する２つの雌螺子孔１１ｂが形成されており、ビス３１が係止穴５ｃを通過し雌螺子孔１１ｂに螺嵌されることにより、貫通孔５ｄは、回動軸１１を踏み台５に固着している。
【００４２】
ここで、回動軸１１は、金属材料で形成され、ニッケルめっき又はクロムめっき等のめっき加工が施されている。
【００４３】
図３（ｂ）は、下蓋４を支持台６の下面に取り付けた状態のペダル装置１の下面図である。下蓋４には、下蓋４を支持台６に小螺子６ｈによって取り付けるための螺子孔と、板ばね１３の回動軸１１に付与する弾性力を調整する螺子１４に対応する位置に小穴４ａが形成されている。
【００４４】
よって、使用者は、この小穴４ａにドライバーを挿入し、螺子１４を締めたり緩めたりすることができる。したがって、下蓋４を外すことなく、容易に回動軸１１にかかる摩擦力を調節することができる。
【００４５】
以上、実施形態に基づいて説明したように、本楽器用のペダル装置１によれば、使用者は、踏み台５を足で操作することにより、踏み台５を支持台６に対して回転させることができ、その結果、支持台６に対する踏み台５の角度を変化させることができる。
【００４６】
支持台６に対する踏み台５の角度が変化すると、プレート８の高さが変化し、可変抵抗器７の電気抵抗を変化させることができる。
【００４７】
また、使用者は、下蓋４の小穴４ａからドライバー等を支持台６の内部に挿入し、螺子１４を締めたり緩めたりすることにより容易に被押圧面１１ａと押圧部材１２との間に生じる摩擦力を調節することができる。よって、踏み台５と支持台６との回転に回転負荷を付与することができると共に、その回転負荷を使用者の要求に合わせて調節することができる。
【００４８】
また、本実施形態における楽器用のペダル装置１は非常に単純な構造であり、部品点数が少ないので、その分材料コストを抑制することができる。更に、部品点数が少ない分構造も単純であるので、その分製造コストを抑制することができる。
【００４９】
また、回動軸１１の被押圧面１１ａの回転中心軸Ｏに垂直な面での断面形状は円形であるので、支持台６に対する踏み台５の角度を変化させても、支持台６に対する踏み台５の角度の変化前と比較して、回転中心軸Ｏと押圧部材１２との距離は変化しない。すなわち、元の状態に戻ろうとする復元力が作用せず、押圧部材１２の凹部１２ａによる保持力が作用するので、作動し終わった後も回動軸１１の状態を保持することができる。
【００５０】
また、回動軸１１は金属材料（本実施の形態では、鋼）で形成され、押圧部材１２は樹脂材料で形成されているので、無音で回動軸１１を回転させることができる。なお、回動軸１１には、ニッケルめっき又はクロムめっき等のめっき加工が施されているので、円滑に回動軸１１を押圧部材１２の表面上で摺動させることができる。
【００５１】
また、被押圧面１１ａと押圧部材１２の凹部１２ａとは、板ばね１３の押圧力のみによって固定されているので、更に螺子１４を緩め、板ばね１３の押圧力を弱めることによって、押圧部材１２を回動軸１１から取り外すことができる。よって、摩擦係数が異なる様々な材料で形成された押圧部材１２を用いることができるので、被押圧面１１ａと押圧部材１２との間の摩擦係数の範囲を拡大することができるのである。
【００５２】
次に、図４を参照して、上述した楽器用のペダル装置１を第１実施形態として、楽器用のペダル装置１に関する第２実施形態について説明する。図４は、第２実施形態の楽器用のペダル装置を示し、図２のＡで示した部分に対応する部分を拡大した断面図である。なお、以下の図面については、上述した楽器用のペダル装置１と同一の構成については、同一の符号を付し、その説明は省略する。
【００５３】
第１実施形態では、回動軸１１は、踏み台５に固着され、支持台６に設けられた軸受けに軸止されて踏み台５が操作されると回転するものであったが、第２実施形態では、軸２６が支持台６に固着され、その軸２６を軸止する軸受けが、踏み台５に固着されて踏み台５の操作により、軸２６を中心として回転するものである。
【００５４】
図４に示すように、踏み台５には、支持台６に形成される矩形状の第２穴部６ｇの上方に、回動部５１の軸心である回転中心軸Ｏと踏み台５の長手方向とが直角になるように、回動部５１が形成されている。
【００５５】
回動部５１は、踏み台５から下方に突出し、転がり軸受け（ベアリング）２７が圧入される軸孔５１ｅを有する。軸２６は、図示しない支持台６に形成された軸受けにビス（非表示）等によって固着され、回転しないものである。転がり軸受け２７は、回動部５１に形成された軸孔５１ｅに圧入され、その内輪に軸２６が圧入される。よって、使用者が踏み台５を足で操作すると回転中心軸Ｏを中心として踏み台５が支持台６に対して回転し、支持台６に対する踏み台５の角度を変化させることができる。
【００５６】
回動部５１には、回転中心軸Ｏに平行な円筒状の被押圧面５１ａが形成されている。また、押圧部材１２の回動部５１に当接する面には回動部５１の被押圧面５１ａに沿う凹部５２ａが形成されている。この被押圧面５１ａは、第１の実施形態と同様に、凹部５２ａが当接され、押圧部材１２は、板ばね１３によって押圧部材１２の下方から押圧されている。
【００５７】
その押圧力は、上記に記載の螺嵌手段（押圧力調整手段）によって調節されるので、押圧部材１２と被押圧面５１ａとの間に生じる摩擦力を調節することができる。よって、支持台６と踏み台５との回転に回転負荷を付与することができると共に、その回転負荷を使用者の要求に合わせて調節することができる。
【００５８】
次に、図５を参照して、楽器用のペダル装置１に関する第３実施形態について説明する。図５は、第３実施形態の楽器用のペダル装置を示し、図２のＡで示した部分に対応する部分を拡大した断面図である。
【００５９】
第１実施形態では、回動軸１１の被押圧面１１ａの回転中心軸Ｏに垂直な面での断面形状は円形に形成されていたが、第３実施形態では、回動軸１１の被押圧面１１ａの回転中心軸Ｏに垂直な面での断面形状が楕円形に形成されているもの、又は、回動軸７１の被押圧面７１ａの回転中心軸Ｏに平行かつ平坦な平坦面７２ａに形成されているものである。
【００６０】
図５（ａ）に示すように、回動軸６１は、第１の実施形態と同様に、踏み台５に固着されるとともに、支持台６に備えられた軸受けであるブッシュ３０（図３参照）に回動自在に軸止されている。
【００６１】
回動軸６１のブッシュ３０に軸止される部分よりも内側には、回転中心軸Ｏに平行かつ回動軸６１の被押圧面１１ａの回転中心軸Ｏに垂直な面での断面形状が楕円形の被押圧面６１ａが形成されている。また、押圧部材１２の回動軸６１に当接する面には回動軸６１の被押圧面６１ａに沿って略半円の凹部６２ａが形成されている。この被押圧面６１ａには、第１の実施形態と同様に、凹部６２ａが当接され、押圧部材１２は、板ばね１３によって押圧部材１２の下方から押圧されている。
【００６２】
その押圧力は、上記に記載の螺嵌手段（押圧力調整手段）によって調節されるので、押圧部材１２と被押圧面６１ａとの間に生じる摩擦力を調節することができる。よって、支持台６と踏み台５との回転に回転負荷を付与することができると共に、その回転負荷を使用者の要求に合わせて調節することができる。
【００６３】
また、回動軸６１の被押圧面１１ａの回転中心軸Ｏに垂直な面での断面形状は楕円形であるので、支持台６に対する踏み台５の角度を変化させると、支持台６に対する踏み台５の角度の変化前と比較して、回転中心軸Ｏと押圧部材１２との距離が変化する。よって、元の状態に戻す場合には軽い力で操作することができ、使用者の負担を軽減させることができる。
【００６４】
次に、第３実施形態の別の形態について説明する。上記第３実施形態では、回動軸６１の被押圧面６１ａの回転中心軸Ｏに垂直な面での断面形状は楕円形に形成されていたが、第３実施形態の別の形態では、回動軸７１の被押圧面７１ａの回転中心軸Ｏに平行かつ平坦な平坦面７２ａが形成されているものである。
【００６５】
図５（ｂ）に示すように、回動軸７１は、第１の実施形態と同様に、踏み台５に固着されるとともに、支持台６に備えられた軸受けであるブッシュ３０（図３参照）に回動自在に軸止されている。また、回動軸７１のブッシュ３０に軸止される部分よりも内側には、回転中心軸Ｏに平行な被押圧面７１ａが形成され、その被押圧面７１ａは平坦な平坦面を備えている。
【００６６】
また、押圧部材７２の回動軸７１に当接する面には、回動軸７１の被押圧面７１ａに沿う凹部７２ａが形成されており、凹部７２ａは、平らな平面を備えている。この被押圧面７１ａには、第１の実施形態と同様に、凹部７２ａが当接され、押圧部材７２は、板ばね１３によって押圧部材７２の下方から押圧されている。
【００６７】
よって、支持台６に対する踏み台５の角度を変化させると、支持台６に対する踏み台５の角度の変化前と比較して、回転中心軸Ｏと押圧部材７２との距離が大きくなる。よって、回転中心軸Ｏと押圧部材７２との距離を元の状態に戻すための復元力が作用するので、支持台６に対する踏み台５の角度を変化させても、自動的に元の状態に戻すことができる。
【００６８】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００６９】
例えば、上記実施の形態では、押圧部材１２の樹脂材料をＰＰとしたが、ＰＯＭ（ポリオキシメチレン（ポリアセタール））やＰＥであっても良い。かかる場合には、樹脂材料がＰＰの場合と比較して、摩擦抵抗が小さいため、回転負荷を小さくすることができる。また、押圧部材１２の樹脂材料として、ＡＢＳ（アクリロニトリル−ブタジエン−スチレン）を使用しても良い。かかる場合には、樹脂材料がＰＰの場合と比較して、摩擦抵抗が大きいため、回転負荷を大きくすることができる。
【００７０】
また、押圧部材１２と被押圧面１１ａとの間にグリス等の潤滑剤を塗布しても良い。また、押圧部材１２の材料として、グリス等を含浸させた樹脂材料を用いても良い。かかる場合においても、支持台６と踏み台５との回転に回転負荷を付与することができると共に、その回転負荷を使用者の要求に合わせて調節することができるのである。
【００７１】
また、上記実施の形態では、ブッシュ３０の樹脂材料をＰＥとしたが、ＰＯＭを使用しても良い。かかる場合においても、回動軸１１を回動自在に軸支することができる。
【図面の簡単な説明】
【００７２】
【図１】（ａ）は、本発明の一実施の形態における楽器用のペダル装置の下面図であり、（ｂ）は、楽器用のペダル装置の斜視図である。
【図２】図１（ａ）のＩＩ−ＩＩ線における楽器用のペダル装置の断面図である。
【図３】（ａ）は、図１（ａ）のＩＩＩａ−ＩＩＩａ線における楽器用のペダル装置の断面図であり、（ｂ）は、楽器用のペダル装置に下蓋が備えられた下面図である。
【図４】図２のＡで示した部分に対応する部分を更に拡大した断面図であり、第２実施形態の楽器用のペダル装置を示している。
【図５】図２のＡで示した部分に対応する部分を更に拡大した断面図であり、第３実施形態の楽器用のペダル装置を示している。
【符号の説明】
【００７３】
１              楽器用のペダル装置
５              踏み台
６              支持台
７              可変抵抗器
１１            回動軸（回動部）
１１ａ          被押圧面
１２            押圧部材
１２ａ          凹部
１３            板ばね
１４            螺子
Ｏ              回転中心軸
【図１】
2007094249.tif 000003
【図２】
2007094249.tif 000004
【図３】
2007094249.tif 000005
【図４】
2007094249.tif 000006
【図５】
2007094249.tif 000007